(57)【要約】      （修正有）【課題】既存技術の欠点を克服する電力配電箱装置の提供。【解決手段】電力配電箱装置はケース１１１を含み、前記ケースに第一容溝１３５が固定的に設置され、前記第一容溝の左側に前記ケースの中に位置し上下に対応する第二容溝１０３が設置され、前記第二容溝の端壁に外部空間に伸びる輸液管１０５が連結し、前記輸液管に第一規制バルブ１０４が連結し、前記第二容溝に固定管が固定的に設置され、前記固定管に左に向かって外部空間と連結する滑り溝１０１が固定的に設置され、前記滑り溝に押しブロック１０６が非固定的に設置され、前記押しブロックの右端面に第一接合軸１１０が固定的に設置され、前記第一容溝の左端壁の外表面に上下に対応して緩衝ブロック１０８が固定的に設置され、第一接合軸の外表面に上下に対応して固定ブロックが固定的に設置され、前記固定ブロックの左端面が前記第三容溝１１６の左端壁の間にばねくぎ１０７が設置される。【選択図】図１
2019181406.tif 000002
【特許請求の範囲】
【請求項１】
電力配電箱装置であって、ケースを含み、前記ケースに第一容溝が固定的に設置され、前記第一容溝の左側に前記ケースの中に位置し上下に対応する第二容溝が設置され、前記第二容溝が前記ケースの中に位置する空管を通じて連結し、前記空管と離れる前記第二容溝の端壁に外部空間に伸びる輸液管が連結し設置され、前記輸液管に第一規制バルブが連結し設置され、前記第二容溝に固定管が固定的に設置され、前記固定管に左に向かって外部空間と連結する滑り溝が固定的に設置され、前記滑り溝に押しブロックが非固定的に設置され、前記押しブロックの右端面に第一接合軸が固定的に設置され、前記第一接合軸が非固定的に前記第二容溝の右端壁を通り抜けて前記第一容溝に伸びて、前記第一容溝の左端壁の外表面に上下に対応して緩衝ブロックが固定的に設置され、前記緩衝ブロックに右方を向く第三容溝が固定的に設置され、前記第一接合軸が非固定的に前記第三容溝を通り抜けて、前記第一接合軸の外表面に上下に対応して固定ブロックが固定的に設置され、前記固定ブロックが前記第三容溝と非固定的に係合し接続し、前記固定ブロックの左端面が前記第三容溝の左端壁の間にばねくぎが設置され、前記第一接合軸の右端面に接合ブロックが固定的に設置され、前記第一容溝の後端壁に第一電機が固定的に設置され、前記第一電機の出力軸の外表面にフラッタリング板が固定的に設置され、前記第一電機に近づく前記接合ブロックの端面に回転ブロックが固定的に設置され、前記回転ブロックに回転可能なように固定接続ブロックが設置され、前記第一電機に近づく前記固定接続ブロックの端面に滑り柱が固定的に設置され、前記滑り柱が前記フラッタリング板と非固定的に係合し接続し、前記第一容溝の右端に前記ケースに位置し上下に対応して右方を向く第三容溝が設置され、前記第三容溝の右端壁に回転筐体が連結し設置され、上側に設置される前記第三容溝の上端壁に第四容溝が連結し設置され、前記第四容溝が上に外部空間に延ばして、前記第四容溝に第二規制バルブが連結し設置され、前記第四容溝の上端面にロートが連結し設置され、前記第三容溝にブリケットが非固定的に設置され、前記ブリケットの左端面に第二接合軸が固定的に設置され、前記第二接合軸が非固定的に前記第三容溝の左端壁を通り抜けて前記第一容溝に伸びて前記接合ブロックと固定し、前記回転筐体の右端壁に第二電機が固定的に設置され、前記第二電機の出力軸が前記回転筐体の左端壁と回転可能なように係合し接続し、前記第二電機の出力軸の外表面に回転テーブルが固定的に設置され、前記回転テーブルに左右に通り抜ける通合筐体が固定的に設置され、前記回転筐体に左に向かって上下に対応して第五容溝が連結し設置され、前記第五容溝に頂珠が設置され、前記頂珠と前記第五容溝の右端壁の間にばねくぎが設置され、前記頂珠が前記回転テーブルと相殺し、前記回転筐体の右端壁に第四容溝が連結し設置され、前記第四容溝が外部空間と連結し、前記ケースの下端面に左右に対応する支柱が固定的に設置され、前記支柱の下端面に機板が固定的に設置され、前記機板の上端面に第三接合軸が固定的に設置され、前記第三接合軸の上端面に台板が固定的に設置され、前記台板に左右に対応して上下に通り抜ける第六容溝が固定的に設置され、前記台板の上端面に左右に対応して前記第六容溝と対応するタービンウォーム昇降機が固定的に設置され、前記タービンウォーム昇降機のウォームの間に第四接合軸が動力を伝達可能なように接続し設置され、右側の前記タービンウォーム昇降機のウォームの右端面に回転輪が設置され、前記タービンウォーム昇降機に上に伸びる第五接合軸が動力が伝達可能なように接続し設置され、前記第五接合軸が下に可動でき前記第六容溝に伸びて下に延びて、前記第五接合軸の上端面に転送装置が固定的に設置され、前記電力配電箱装置によって前記固定管の右端壁に第一閉合輪が固定的に設置され、前記電力配電箱装置によって前記第三容溝の左端壁に第二閉合輪が固定的に設置され、前記電力配電箱装置によって前記固定接続ブロックと離れる前記滑り柱の端面に段軸が固定的に設置されることを特徴とする電力配電箱装置。
【発明の詳細な説明】
【技術分野】
【０００１】
本発明は電力配電分野に関し、具体的には電力配電箱装置に関する。
【背景技術】
【０００２】
電力配電箱は電力配電分野によく使われ、それは主に電気部品を取り付けて、しかしこれらの電気部品が加工生産される時、いくつかの不良品が発生することを避けられない。敷地面積を減らし運送に便利するため、通常にはこれらの不良品部品を粉砕し、伝統的な粉砕装置は強い制御機能を持たなく、多くの労働力を投入する必要があり、加工効率が大きく下がり、改善する必要がある。
【先行技術文献】
【特許文献】
【０００３】
【特許文献１】中国特許出願公開第105929871号明細書
【発明の概要】
【発明が解決しようとする課題】
【０００４】
本発明の目的は電力配電箱装置を提供し、それは既存の技術の上述の欠陥を克服できる。
【課題を解決するための手段】
【０００５】
本発明によれば、本発明に係る電力配電箱装置はケースを含み、前記ケースに第一容溝が固定的に設置され、前記第一容溝の左側に前記ケースの中に位置し上下に対応する第二容溝が設置され、前記第二容溝が前記ケースの中に位置する空管を通じて連結し、前記空管と離れる前記第二容溝の端壁に外部空間に伸びる輸液管が連結し設置され、前記輸液管に第一規制バルブが連結し設置され、前記第二容溝に固定管が固定的に設置され、前記固定管に左に向かって外部空間と連結する滑り溝が固定的に設置され、前記滑り溝に押しブロックが非固定的に設置され、前記押しブロックの右端面に第一接合軸が固定的に設置され、前記第一接合軸が非固定的に前記第二容溝の右端壁を通り抜けて前記第一容溝に伸びて、前記第一容溝の左端壁の外表面に上下に対応して緩衝ブロックが固定的に設置され、前記緩衝ブロックに右方を向く第三容溝が固定的に設置され、前記第一接合軸が非固定的に前記第三容溝を通り抜けて、前記第一接合軸の外表面に上下に対応して固定ブロックが固定的に設置され、前記固定ブロックが前記第三容溝と非固定的に係合し接続し、前記固定ブロックの左端面が前記第三容溝の左端壁の間にばねくぎが設置され、前記第一接合軸の右端面に接合ブロックが固定的に設置され、前記第一容溝の後端壁に第一電機が固定的に設置され、前記第一電機の出力軸の外表面にフラッタリング板が固定的に設置され、前記第一電機に近づく前記接合ブロックの端面に回転ブロックが固定的に設置され、前記回転ブロックに回転可能なように固定接続ブロックが設置され、前記第一電機に近づく前記固定接続ブロックの端面に滑り柱が固定的に設置され、前記滑り柱が前記フラッタリング板と非固定的に係合し接続し、前記第一容溝の右端に前記ケースに位置し上下に対応して右方を向く第三容溝が設置され、前記第三容溝の右端壁に回転筐体が連結し設置され、上側に設置される前記第三容溝の上端壁に第四容溝が連結し設置され、前記第四容溝が上に外部空間に延ばして、前記第四容溝に第二規制バルブが連結し設置され、前記第四容溝の上端面にロートが連結し設置され、前記第三容溝にブリケットが非固定的に設置され、前記ブリケットの左端面に第二接合軸が固定的に設置され、前記第二接合軸が非固定的に前記第三容溝の左端壁を通り抜けて前記第一容溝に伸びて前記接合ブロックと固定し、前記回転筐体の右端壁に第二電機が固定的に設置され、前記第二電機の出力軸が前記回転筐体の左端壁と回転可能なように係合し接続し、前記第二電機の出力軸の外表面に回転テーブルが固定的に設置され、前記回転テーブルに左右に通り抜ける通合筐体が固定的に設置され、前記回転筐体に左に向かって上下に対応して第五容溝が連結し設置され、前記第五容溝に頂珠が設置され、前記頂珠と前記第五容溝の右端壁の間にばねくぎが設置され、前記頂珠が前記回転テーブルと相殺し、前記回転筐体の右端壁に第四容溝が連結し設置され、前記第四容溝が外部空間と連結し、前記ケースの下端面に左右に対応する支柱が固定的に設置され、前記支柱の下端面に機板が固定的に設置され、前記機板の上端面に第三接合軸が固定的に設置され、前記第三接合軸の上端面に台板が固定的に設置され、前記台板に左右に対応して上下に通り抜ける第六容溝が固定的に設置され、前記台板の上端面に左右に対応して前記第六容溝と対応するタービンウォーム昇降機が固定的に設置され、前記タービンウォーム昇降機のウォームの間に第四接合軸が動力を伝達可能なように接続し設置され、右側の前記タービンウォーム昇降機のウォームの右端面に回転輪、前記タービンウォーム昇降機に上に伸びる第五接合軸が動力が伝達可能なように接続し設置され、前記第五接合軸が下に可動でき前記第六容溝に伸びて続き下に延びて、前記第五接合軸の上端面に転送装置が固定的に設置され、これにより制御効果を高める。
【０００６】
別の技術方案は前記固定管の右端壁に第一閉合輪が固定的に設置され、これにより設備の防水機能を高める。
【０００７】
別の技術方案は前記第三容溝の左端壁に第二閉合輪が固定的に設置され、これにより設備の安定性を高める。
【０００８】
別の技術方案は前記固定接続ブロックと離れる前記滑り柱の端面に段軸が固定的に設置され、段軸が前記フラッタリング板と前記滑り柱がスライドに係合する範囲を制限し、これにより設備の信頼性を高める。
【０００９】
本発明の有益な効果は、本発明設備が初期状態の時、前記第一電機、前記転送装置と第二電機が停止仕事状態にあるため、上側の前記接合ブロックが右側の限界位置に位置し、下側の前記接合ブロックが左側の限界位置に位置し、前記第二規制バルブと第一規制バルブが閉止状態にあり、前記回転ディスクが前記頂珠と相殺し、前記通合筐体に粉砕された後の電気部品が積載され、これにより上記の構造が初期状態の時に初期位置に位置させ、後続の仕事に調整でき、有効的に設備の作業協調性を高める。
【００１０】
設備が動作する時、前記第一規制バルブが開き、外部空間の冷却液システムの中の冷却液が前記輸液管、第一規制バルブ、第二容溝と空管を通じて前記固定管を冷却し、前記第一電機が動作し下側の前記接合ブロックを駆動し右に移動させ、上側の前記接合ブロックを駆動し左に移動させ、下側の前記ブリケットが右に移動し前記通合筐体の中の電気部品を前記第四容溝に押し込んで前記転送装置の上端面に落ちて、前記転送装置が動作し、粉砕された後の電気部品を外部貯蔵空間に輸送し、上側の前記ブリケットが左側の限界位置に戻って、前記第二規制バルブが開き、前記ロートの中の電気部品が前記第四容溝を通じて前記第三容溝に落ちて、前記第一電機が上側の前記ブリケットを駆動し電気部品を右に押して、電気部品が前記ブリケットと回転ディスクの間に粉砕され、前記第二電機が作業し前記回転ディスクを駆動し回転させ、前記通合筐体が上側の前記第三容溝に正対する位置に運動し、前記ブリケットが粉砕された後の電気部品を前記通合筐体に押し込んで、前記ゴムブロックが電気部品の溢出を防ぎ、前記回転ディスクが前記回転筐体との隙間が十分に少なく、電気部品が落ちることを防ぎ、正常な回転を保証でき、前記第二電機が動作し、前記回転ディスクを駆動し回転させ、前記通合筐体が下側の前記第三容溝に正対させ、前記第一電機が下側の前記ブリケットを駆動し右に移動させ、前記通合筐体の中の粉砕された後の電気部品を前記転送装置の上端面に押して、前記転送装置に送り出されて、このように繰り返して上記のステップを実行し、続きの制御の加工を実現でき、これにより設備の制御能力を高める。
【００１１】
設備が続きに動作する時、前記第一電機が前記フラッタリング板を駆動し続きに揺れ動かせ、前記滑り柱が前記フラッタリング板の中にスライドし、異なる距離変化を発生し、前記接合ブロックがリミットされ、前記滑り柱に牽引され左右に移動し、上下側の前記接合ブロックの交替移動を実現でき、これにより設備の伝動安定性を高める。
【００１２】
本発明は構造が簡単で、使用が便利で、この設備は多くのユニットに接続制御でき、高精度の加工と輸送を実現し、有効的に仕事効率を高める。
【００１３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は特許請求の範囲が限定される保護範囲を基準とする。
【発明の効果】
【００１４】
本発明の有益な効果は本発明設備が初期状態の時、前記第一電機、前記転送装置と第二電機が停止仕事状態にあるため、上側の前記接合ブロックが右側の限界位置に位置し、下側の前記接合ブロックが左側の限界位置に位置し、前記第二規制バルブと第一規制バルブが閉止状態にあり、前記回転ディスクが前記頂珠と相殺し、前記通合筐体に粉砕された後の電気部品が積載され、これにより上記の構造が初期状態の時に初期位置に位置させ、後続の仕事に調整でき、有効的に設備の作業協調性を高める。
【図面の簡単な説明】
【００１５】
本発明の実施例の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本分野の当業者にとって、創造的な労働を払わないことを前提に、これらの図面に基づいてそのほかの図面を得ることができる。
【００１６】
【図１】図１は本発明の電力配電箱装置の全体の構造概略図である。
【発明を実施するための形態】
【００１７】
本明細書に開示した全ての特徴、或いは全ての方法また過程のステップは互いに排斥する特徴とステップ以外に、全ての方式で組み合わせる。
【００１８】
本明細書（全ての従属請求項、要約書と図面を含む）に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１９】
図１が示すように、本発明の電力配電箱装置は、ケース111を含み、前記ケース111に第一容溝135が固定的に設置され、前記第一容溝135の左側に前記ケース111の中に位置し上下に対応する第二容溝103が設置され、前記第二容溝103が前記ケース111の中に位置する空管100を通じて連結し、前記空管100と離れる前記第二容溝103の端壁に外部空間に伸びる輸液管105が連結し設置され、前記輸液管105に第一規制バルブ104が連結し設置され、前記第二容溝103に固定管102が固定的に設置され、前記固定管102に左に向かって外部空間と連結する滑り溝101が固定的に設置され、前記滑り溝101に押しブロック106が非固定的に設置され、前記押しブロック106の右端面に第一接合軸110が固定的に設置され、前記第一接合軸110が非固定的に前記第二容溝103の右端壁を通り抜けて前記第一容溝135に伸びて、前記第一容溝135の左端壁の外表面に上下に対応して緩衝ブロック108が固定的に設置され、前記緩衝ブロック108に右方を向く第三容溝が固定的に設置され、前記第一接合軸110が非固定的に前記第三容溝を通り抜けて、前記第一接合軸110の外表面に上下に対応して固定ブロック109が固定的に設置され、前記固定ブロック109が前記第三容溝と非固定的に係合し接続し、前記固定ブロック109の左端面が前記第三容溝の左端壁の間にばねくぎ107が設置され、前記第一接合軸110の右端面に接合ブロック140が固定的に設置され、前記第一容溝135の後端壁に第一電機141が固定的に設置され、前記第一電機141の出力軸の外表面にフラッタリング板142が固定的に設置され、前記第一電機141に近づく前記接合ブロック140の端面に回転ブロック139が固定的に設置され、前記回転ブロック139に回転可能なように固定接続ブロック138が設置され、前記第一電機141に近づく前記固定接続ブロック138の端面に滑り柱137が固定的に設置され、前記滑り柱137が前記フラッタリング板142と非固定的に係合し接続し、前記第一容溝135の右端に前記ケース111に位置し上下に対応して右方を向く第三容溝116が設置され、前記第三容溝116の右端壁に回転筐体118が連結し設置され、上側に設置される前記第三容溝116の上端壁に第四容溝113が連結し設置され、前記第四容溝113が上に外部空間に延ばして、前記第四容溝113に第二規制バルブ114が連結し設置され、前記第四容溝113の上端面にロート115が連結し設置され、前記第三容溝116にブリケット117が非固定的に設置され、前記ブリケット117の左端面に第二接合軸112が固定的に設置され、前記第二接合軸112が非固定的に前記第三容溝116の左端壁を通り抜けて前記第一容溝135に伸びて前記接合ブロック140と固定し、前記回転筐体118の右端壁に第二電機123が固定的に設置され、前記第二電機123の出力軸が前記回転筐体118の左端壁と回転可能なように係合し接続し、前記第二電機123の出力軸の外表面に回転テーブル120が固定的に設置され、前記回転テーブル120に左右に通り抜ける通合筐体125が固定的に設置され、前記回転筐体118に左に向かって上下に対応して第五容溝122が連結し設置され、前記第五容溝122に頂珠121が設置され、前記頂珠121と前記第五容溝122の右端壁の間にばねくぎ122が設置され、前記頂珠121が前記回転テーブル120と相殺し、前記回転筐体118の右端壁に第四容溝124が連結し設置され、前記第四容溝124が外部空間と連結し、前記ケース111の下端面に左右に対応する支柱134が固定的に設置され、前記支柱134の下端面に機板133が固定的に設置され、前記機板133の上端面に第三接合軸131が固定的に設置され、前記第三接合軸131の上端面に台板132が固定的に設置され、前記台板132に左右に対応して上下に通り抜ける第六容溝130が固定的に設置され、前記台板132の上端面に左右に対応して前記第六容溝130と対応するタービンウォーム昇降機128が固定的に設置され、前記タービンウォーム昇降機128のウォームの間に第四接合軸127が動力を伝達可能なように接続し設置され、右側の前記タービンウォーム昇降機128のウォームの右端面に回転輪129、前記タービンウォーム昇降機128に上に伸びる第五接合軸150が動力が伝達可能なように接続し設置され、前記第五接合軸150が下に可動でき前記第六容溝130に伸びて続き下に延びて、前記第五接合軸150の上端面に転送装置126が固定的に設置され、これにより制御効果を高める。
【００２０】
好ましくはその中に前記固定管102の右端壁に第一閉合輪が固定的に設置され、これにより設備の防水機能を高める。
【００２１】
好ましくはその中に前記第三容溝116の左端壁に第二閉合輪が固定的に設置され、これにより設備の安定性を高める。
【００２２】
好ましくはその中に前記固定接続ブロック138と離れる前記滑り柱137の端面に段軸が固定的に設置され、段軸が前記フラッタリング板142と前記滑り柱137がスライドに係合する範囲を制限し、これにより設備の信頼性を高める。
【００２３】
本発明設備が初期状態の時、前記第一電機141、前記転送装置126と第二電機123が停止仕事状態にあり、上側の前記接合ブロック140が右側の限界位置に位置し、下側の前記接合ブロック140が左側の限界位置に位置し、前記第二規制バルブ114と第一規制バルブ104が閉止状態にあり、前記回転ディスク120が前記頂珠121と相殺し、前記通合筐体125に粉砕された後の電気部品が積載され、これにより上記の構造が初期状態の時に初期位置に位置させ、後続の仕事に調整でき、有効的に設備の作業協調性を高める。
【００２４】
設備が動作する時、前記第一規制バルブ104が開き、外部空間の冷却液システムの中の冷却液が前記輸液管105、第一規制バルブ104、第二容溝103と空管100を通じて前記固定管102を冷却し、前記第一電機が動作し下側の前記接合ブロック140を駆動し右に移動させ、上側の前記接合ブロック140を駆動し左に移動させ、下側の前記ブリケット117が右に移動し前記通合筐体125の中の電気部品を前記第四容溝124に押し込んで前記転送装置126の上端面に落ちて、前記転送装置126が動作し、粉砕された後の電気部品を外部貯蔵空間に輸送し、上側の前記ブリケット117が左側の限界位置に戻って、前記第二規制バルブ114が開き、前記ロート115の中の電気部品が前記第四容溝113を通じて前記第三容溝116に落ちて、前記第一電機141が上側の前記ブリケット117を駆動し電気部品を右に押して、電気部品が前記ブリケット117と回転ディスク120の間に粉砕され、前記第二電機123が作業し前記回転ディスク120を駆動し回転させ、前記通合筐体125が上側の前記第三容溝116に正対する位置に運動し、前記ブリケット117が粉砕された後の電気部品を前記通合筐体125に押し込んで、前記ゴムブロック119が電気部品の溢出を防ぎ、前記回転ディスク120が前記回転筐体118との隙間が十分に少なく、電気部品が落ちることを防ぎ、正常な回転を保証でき、前記第二電機123が動作し、前記回転ディスク120を駆動し回転させ、前記通合筐体125が下側の前記第三容溝116に正対させ、前記第一電機141が下側の前記ブリケット117を駆動し右に移動させ、前記通合筐体125の中の粉砕された後の電気部品を前記転送装置126の上端面に押して、前記転送装置126に送り出されて、このように繰り返して上記のステップを実行し、続きの制御の加工を実現でき、これにより設備の制御能力を高める。設備が続きに動作する時、前記第一電機141が前記フラッタリング板142を駆動し続きに揺れ動かせ、前記滑り柱137が前記フラッタリング板142の中にスライドし、異なる距離変化を発生し、前記接合ブロック140がリミットされ、前記滑り柱137に牽引され左右に移動し、上下側の前記接合ブロック140の交替移動を実現でき、これにより設備の伝動安定性を高める。
【００２５】
以上に述べたのはただ本発明のより良い実施例で、本発明を限定することに使用されない。本発明の意義と原則のもとで行う全ての修正、同等の入れ替えと改善などは本発明の保護範囲に含まれる。
【図１】
2019181406.tif 000003
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
粉砕装置であって、ケースを含み、前記ケースに第一収容槽が固定的に設置され、前記第一収容槽の左側に前記ケースの中に位置し上下に対応する第二収容槽が設置され、前記第二収容槽が前記ケースの中に位置する空管を通じて連結し、前記空管と離れる前記第二収容槽の端壁に外部空間に伸びる輸液管が連結し設置され、前記輸液管に第一規制バルブが連結し設置され、前記第二収容槽に固定管が固定的に設置され、前記固定管に左に向かって外部空間と連結するシュートが固定的に設置され、前記シュートに押しブロックが可動なように設置され、前記押しブロックの右端面に第一接合軸が固定的に設置され、前記第一接合軸が可動なように前記第二収容槽の右端壁を通り抜けて前記第一収容槽に伸びて、前記第一収容槽の左端壁の外表面に上下に対応して緩衝ブロックが固定的に設置され、前記緩衝ブロックに右方を向く第三収容槽が固定的に設置され、前記第一接合軸が可動なように前記第三収容槽を通り抜けて、前記第一接合軸の外表面に上下に対応して固定ブロックが固定的に設置され、前記固定ブロックが前記第三収容槽と可動なように係合し接続し、前記固定ブロックの左端面が前記第三収容槽の左端壁の間にばねくぎが設置され、前記第一接合軸の右端面に接合ブロックが固定的に設置され、前記第一収容槽の後端壁に第一モータが固定的に設置され、前記第一モータの出力軸の外表面にスイング板が固定的に設置され、前記第一モータに近づく前記接合ブロックの端面に回転ブロックが固定的に設置され、前記回転ブロックに回転可能なように固定接続ブロックが設置され、前記第一モータに近づく前記固定接続ブロックの端面に円柱形スライドレバーが固定的に設置され、前記円柱形スライドレバーが前記スイング板と可動なように係合し接続し、前記第一収容槽の右端に前記ケースに位置し上下に対応して右方を向く第七収容槽が設置され、前記第七収容槽の右端壁に回転キャビティが連結し設置され、上側に設置される前記第七収容槽の上端壁に第四収容槽が連結し設置され、前記第四収容槽が上に外部空間に延ばして、前記第四収容槽に第二規制バルブが連結し設置され、前記第四収容槽の上端面にロートが連結し設置され、前記第七収容槽にプッシュブロックが可動なように設置され、前記プッシュブロックの左端面に第二接合軸が固定的に設置され、前記第二接合軸が可動なように前記第七収容槽の左端壁を通り抜けて前記第一収容槽に伸びて前記接合ブロックと固定し、前記回転キャビティの右端壁に第二モータが固定的に設置され、前記第二モータの出力軸が前記回転キャビティの左端壁と回転可能なように係合し接続し、前記第二モータの出力軸の外表面に回転ディスクが固定的に設置され、前記回転ディスクに左右に通り抜ける空キャビティが固定的に設置され、前記回転キャビティに左に向かって上下に対応して第五収容槽が連結し設置され、前記第五収容槽に玉が設置され、前記玉と前記第五収容槽の右端壁の間にばねくぎが設置され、前記玉が前記回転ディスクと当接し、前記回転キャビティの右端壁に第八収容槽が連結し設置され、前記第八収容槽が外部空間と連結し、前記ケースの下端面に左右に対応する支柱が固定的に設置され、前記支柱の下端面にサポートプレートが固定的に設置され、前記サポートプレートの上端面に第三接合軸が固定的に設置され、前記第三接合軸の上端面に台板が固定的に設置され、前記台板に左右に対応して上下に通り抜ける第六収容槽が固定的に設置され、前記台板の上端面に左右に対応して前記第六収容槽と対応するタービンウォーム昇降機が固定的に設置され、前記タービンウォーム昇降機のウォームの間に第四接合軸が動力を伝達可能なように接続し設置され、右側の前記タービンウォーム昇降機のウォームの右端面に回転輪が設置され、前記タービンウォーム昇降機に上に伸びる第五接合軸が動力が伝達可能なように接続し設置され、前記第五接合軸が下に可動でき前記第六収容槽に伸びて下に延びて、前記第五接合軸の上端面に転送装置が固定的に設置され、前記粉砕装置によって前記固定管の右端壁に第一閉合リングが固定的に設置され、前記粉砕装置によって前記第七収容槽の左端壁に第二閉合リングが固定的に設置され、前記粉砕装置によって前記固定接続ブロックと離れる前記円柱形スライドレバーの端面にリミット軸が固定的に設置されることを特徴とする粉砕装置。
【手続補正２】
【補正対象書類名】明細書
【補正対象項目名】全文
【補正方法】変更
【補正の内容】
【発明の詳細な説明】
【技術分野】
【０００１】
本発明は電力配電分野に関し、具体的には粉砕装置に関する。
【背景技術】
【０００２】
電力配電箱は電力配電分野によく使われ、それは主に電気部品を取り付けて、しかしこれらの電気部品が加工生産される時、いくつかの不良品が発生することを避けられない。敷地面積を減らし運送に便利するため、通常にはこれらの不良品部品を粉砕し、伝統的な粉砕装置は強い制御機能を持たなく、多くの労働力を投入する必要があり、加工効率が大きく下がり、改善する必要がある。
【先行技術文献】
【特許文献】
【０００３】
【特許文献１】中国特許出願公開第105929871号明細書
【発明の概要】
【発明が解決しようとする課題】
【０００４】
本発明の目的は粉砕装置を提供し、それは既存の技術の上述の欠陥を克服できる。
【課題を解決するための手段】
【０００５】
本発明によれば、本発明に係る粉砕装置はケースを含み、前記ケースに第一収容槽が固定的に設置され、前記第一収容槽の左側に前記ケースの中に位置し上下に対応する第二収容槽が設置され、前記第二収容槽が前記ケースの中に位置する空管を通じて連結し、前記空管と離れる前記第二収容槽の端壁に外部空間に伸びる輸液管が連結し設置され、前記輸液管に第一規制バルブが連結し設置され、前記第二収容槽に固定管が固定的に設置され、前記固定管に左に向かって外部空間と連結するシュートが固定的に設置され、前記シュートに押しブロックが可動なように設置され、前記押しブロックの右端面に第一接合軸が固定的に設置され、前記第一接合軸が可動なように前記第二収容槽の右端壁を通り抜けて前記第一収容槽に伸びて、前記第一収容槽の左端壁の外表面に上下に対応して緩衝ブロックが固定的に設置され、前記緩衝ブロックに右方を向く第三収容槽が固定的に設置され、前記第一接合軸が可動なように前記第三収容槽を通り抜けて、前記第一接合軸の外表面に上下に対応して固定ブロックが固定的に設置され、前記固定ブロックが前記第三収容槽と可動なように係合し接続し、前記固定ブロックの左端面が前記第三収容槽の左端壁の間にばねくぎが設置され、前記第一接合軸の右端面に接合ブロックが固定的に設置され、前記第一収容槽の後端壁に第一モータが固定的に設置され、前記第一モータの出力軸の外表面にスイング板が固定的に設置され、前記第一モータに近づく前記接合ブロックの端面に回転ブロックが固定的に設置され、前記回転ブロックに回転可能なように固定接続ブロックが設置され、前記第一モータに近づく前記固定接続ブロックの端面に円柱形スライドレバーが固定的に設置され、前記円柱形スライドレバーが前記スイング板と可動なように係合し接続し、前記第一収容槽の右端に前記ケースに位置し上下に対応して右方を向く第七収容槽が設置され、前記第七収容槽の右端壁に回転キャビティが連結し設置され、上側に設置される前記第七収容槽の上端壁に第四収容槽が連結し設置され、前記第四収容槽が上に外部空間に延ばして、前記第四収容槽に第二規制バルブが連結し設置され、前記第四収容槽の上端面にロートが連結し設置され、前記第七収容槽にプッシュブロックが可動なように設置され、前記プッシュブロックの左端面に第二接合軸が固定的に設置され、前記第二接合軸が可動なように前記第七収容槽の左端壁を通り抜けて前記第一収容槽に伸びて前記接合ブロックと固定し、前記回転キャビティの右端壁に第二モータが固定的に設置され、前記第二モータの出力軸が前記回転キャビティの左端壁と回転可能なように係合し接続し、前記第二モータの出力軸の外表面に回転ディスクが固定的に設置され、前記回転ディスクに左右に通り抜ける空キャビティが固定的に設置され、前記回転キャビティに左に向かって上下に対応して第五収容槽が連結し設置され、前記第五収容槽に玉が設置され、前記玉と前記第五収容槽の右端壁の間にばねくぎが設置され、前記玉が前記回転ディスクと当接し、前記回転キャビティの右端壁に第八収容槽が連結し設置され、前記第八収容槽が外部空間と連結し、前記ケースの下端面に左右に対応する支柱が固定的に設置され、前記支柱の下端面にサポートプレートが固定的に設置され、前記サポートプレートの上端面に第三接合軸が固定的に設置され、前記第三接合軸の上端面に台板が固定的に設置され、前記台板に左右に対応して上下に通り抜ける第六収容槽が固定的に設置され、前記台板の上端面に左右に対応して前記第六収容槽と対応するタービンウォーム昇降機が固定的に設置され、前記タービンウォーム昇降機のウォームの間に第四接合軸が動力を伝達可能なように接続し設置され、右側の前記タービンウォーム昇降機のウォームの右端面に回転輪、前記タービンウォーム昇降機に上に伸びる第五接合軸が動力が伝達可能なように接続し設置され、前記第五接合軸が下に可動でき前記第六収容槽に伸びて続き下に延びて、前記第五接合軸の上端面に転送装置が固定的に設置され、これにより制御効果を高める。
【０００６】
別の技術方案は前記固定管の右端壁に第一閉合リングが固定的に設置され、これにより設備の防水機能を高める。
【０００７】
別の技術方案は前記第七収容槽の左端壁に第二閉合リングが固定的に設置され、これにより設備の安定性を高める。
【０００８】
別の技術方案は前記固定接続ブロックと離れる前記円柱形スライドレバーの端面にリミット軸が固定的に設置され、リミット軸が前記スイング板と前記円柱形スライドレバーがスライドに係合する範囲を制限し、これにより設備の信頼性を高める。
【０００９】
本発明の有益な効果は、本発明設備が初期状態の時、前記第一モータ、前記転送装置と第二モータが停止仕事状態にあるため、上側の前記接合ブロックが右側の限界位置に位置し、下側の前記接合ブロックが左側の限界位置に位置し、前記第二規制バルブと第一規制バルブが閉止状態にあり、前記回転ディスクが前記玉と当接し、前記空キャビティに粉砕された後の電気部品が積載され、これにより上記の構造が初期状態の時に初期位置に位置させ、後続の仕事に調整でき、有効的に設備の作業協調性を高める。
【００１０】
設備が動作する時、前記第一規制バルブが開き、外部空間の冷却液システムの中の冷却液が前記輸液管、第一規制バルブ、第二収容槽と空管を通じて前記固定管を冷却し、前記第一モータが動作し下側の前記接合ブロックを駆動し右に移動させ、上側の前記接合ブロックを駆動し左に移動させ、下側の前記プッシュブロックが右に移動し前記空キャビティの中の電気部品を前記第八収容槽に押し込んで前記転送装置の上端面に落ちて、前記転送装置が動作し、粉砕された後の電気部品を外部貯蔵空間に輸送し、上側の前記プッシュブロックが左側の限界位置に戻って、前記第二規制バルブが開き、前記ロートの中の電気部品が前記第四収容槽を通じて前記第七収容槽に落ちて、前記第一モータが上側の前記プッシュブロックを駆動し電気部品を右に押して、電気部品が前記プッシュブロックと回転ディスクの間に粉砕され、前記第二モータが作業し前記回転ディスクを駆動し回転させ、前記空キャビティが上側の前記第七収容槽に正対する位置に運動し、前記プッシュブロックが粉砕された後の電気部品を前記空キャビティに押し込んで、前記回転ディスクが前記回転キャビティとの隙間が十分に少なく、電気部品が落ちることを防ぎ、正常な回転を保証でき、前記第二モータが動作し、前記回転ディスクを駆動し回転させ、前記空キャビティが下側の前記第七収容槽に正対させ、前記第一モータが下側の前記プッシュブロックを駆動し右に移動させ、前記空キャビティの中の粉砕された後の電気部品を前記転送装置の上端面に押して、前記転送装置に送り出されて、このように繰り返して上記のステップを実行し、続きの制御の加工を実現でき、これにより設備の制御能力を高める。
【００１１】
設備が連続して動作する時、前記第一モータが前記スイング板を駆動して連続してスイングさせ、これにより前記円柱形スライドレバーが前記スイング板の中にスライドし、距離が変化し続き、且つ前記接合ブロックが位置規制されて前記円柱形スライドレバーに引かれて左右に移動し、これにより上下側の前記接合ブロックの交互移動を実現し、設備の伝動安定性を高める。
【００１２】
本発明は構造が簡単で、使用が便利で、この設備は多くのユニットに接続制御でき、高精度の加工と輸送を実現し、有効的に仕事効率を高める。
【００１３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は特許請求の範囲が限定される保護範囲を基準とする。
【発明の効果】
【００１４】
本発明の有益な効果は本発明設備が初期状態の時、前記第一モータ、前記転送装置と第二モータが停止仕事状態にあるため、上側の前記接合ブロックが右側の限界位置に位置し、下側の前記接合ブロックが左側の限界位置に位置し、前記第二規制バルブと第一規制バルブが閉止状態にあり、前記回転ディスクが前記玉と当接し、前記空キャビティに粉砕された後の電気部品が積載され、これにより上記の構造が初期状態の時に初期位置に位置させ、後続の仕事に調整でき、有効的に設備の作業協調性を高める。
【図面の簡単な説明】
【００１５】
本発明の実施例の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本分野の当業者にとって、創造的な労働を払わないことを前提に、これらの図面に基づいてそのほかの図面を得ることができる。
【００１６】
【図１】図１は本発明の粉砕装置の全体の構造概略図である。
【発明を実施するための形態】
【００１７】
本明細書に開示した全ての特徴、或いは全ての方法また過程のステップは互いに排斥する特徴とステップ以外に、全ての方式で組み合わせる。
【００１８】
本明細書（全ての従属請求項、要約書と図面を含む）に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１９】
図１が示すように、本発明の粉砕装置は、ケース111を含み、前記ケース111に第一収容槽135が固定的に設置され、前記第一収容槽135の左側に前記ケース111の中に位置し上下に対応する第二収容槽103が設置され、前記第二収容槽103が前記ケース111の中に位置する空管100を通じて連結し、前記空管100と離れる前記第二収容槽103の端壁に外部空間に伸びる輸液管105が連結し設置され、前記輸液管105に第一規制バルブ104が連結し設置され、前記第二収容槽103に固定管102が固定的に設置され、前記固定管102に左に向かって外部空間と連結するシュート101が固定的に設置され、前記シュート101に押しブロック106が可動なように設置され、前記押しブロック106の右端面に第一接合軸110が固定的に設置され、前記第一接合軸110が可動なように前記第二収容槽103の右端壁を通り抜けて前記第一収容槽135に伸びて、前記第一収容槽135の左端壁の外表面に上下に対応して緩衝ブロック108が固定的に設置され、前記緩衝ブロック108に右方を向く第三収容槽が固定的に設置され、前記第一接合軸110が可動なように前記第三収容槽を通り抜けて、前記第一接合軸110の外表面に上下に対応して固定ブロック109が固定的に設置され、前記固定ブロック109が前記第三収容槽と可動なように係合し接続し、前記固定ブロック109の左端面が前記第三収容槽の左端壁の間にばねくぎ107が設置され、前記第一接合軸110の右端面に接合ブロック140が固定的に設置され、前記第一収容槽135の後端壁に第一モータ141が固定的に設置され、前記第一モータ141の出力軸の外表面にスイング板142が固定的に設置され、前記第一モータ141に近づく前記接合ブロック140の端面に回転ブロック139が固定的に設置され、前記回転ブロック139に回転可能なように固定接続ブロック138が設置され、前記第一モータ141に近づく前記固定接続ブロック138の端面に円柱形スライドレバー137が固定的に設置され、前記円柱形スライドレバー137が前記スイング板142と可動なように係合し接続し、前記第一収容槽135の右端に前記ケース111に位置し上下に対応して右方を向く第七収容槽116が設置され、前記第七収容槽116の右端壁に回転キャビティ118が連結し設置され、上側に設置される前記第七収容槽116の上端壁に第四収容槽113が連結し設置され、前記第四収容槽113が上に外部空間に延ばして、前記第四収容槽113に第二規制バルブ114が連結し設置され、前記第四収容槽113の上端面にロート115が連結し設置され、前記第七収容槽116にプッシュブロック117が可動なように設置され、前記プッシュブロック117の左端面に第二接合軸112が固定的に設置され、前記第二接合軸112が可動なように前記第七収容槽116の左端壁を通り抜けて前記第一収容槽135に伸びて前記接合ブロック140と固定し、前記回転キャビティ118の右端壁に第二モータ123が固定的に設置され、前記第二モータ123の出力軸が前記回転キャビティ118の左端壁と回転可能なように係合し接続し、前記第二モータ123の出力軸の外表面に回転ディスク120が固定的に設置され、前記回転ディスク120に左右に通り抜ける空キャビティ125が固定的に設置され、前記回転キャビティ118に左に向かって上下に対応して第五収容槽122が連結し設置され、前記第五収容槽122に玉121が設置され、前記玉121と前記第五収容槽122の右端壁の間にばねくぎ122が設置され、前記玉121が前記回転ディスク120と当接し、前記回転キャビティ118の右端壁に第八収容槽124が連結し設置され、前記第八収容槽124が外部空間と連結し、前記ケース111の下端面に左右に対応する支柱134が固定的に設置され、前記支柱134の下端面にサポートプレート133が固定的に設置され、前記サポートプレート133の上端面に第三接合軸131が固定的に設置され、前記第三接合軸131の上端面に台板132が固定的に設置され、前記台板132に左右に対応して上下に通り抜ける第六収容槽130が固定的に設置され、前記台板132の上端面に左右に対応して前記第六収容槽130と対応するタービンウォーム昇降機128が固定的に設置され、前記タービンウォーム昇降機128のウォームの間に第四接合軸127が動力を伝達可能なように接続し設置され、右側の前記タービンウォーム昇降機128のウォームの右端面に回転輪129、前記タービンウォーム昇降機128に上に伸びる第五接合軸150が動力が伝達可能なように接続し設置され、前記第五接合軸150が下に可動でき前記第六収容槽130に伸びて続き下に延びて、前記第五接合軸150の上端面に転送装置126が固定的に設置され、これにより制御効果を高める。
【００２０】
好ましくはその中に前記固定管102の右端壁に第一閉合リングが固定的に設置され、これにより設備の防水機能を高める。
【００２１】
好ましくはその中に前記第七収容槽116の左端壁に第二閉合リングが固定的に設置され、これにより設備の安定性を高める。
【００２２】
好ましくはその中に前記固定接続ブロック138と離れる前記円柱形スライドレバー137の端面にリミット軸が固定的に設置され、リミット軸が前記スイング板142と前記円柱形スライドレバー137がスライドに係合する範囲を制限し、これにより設備の信頼性を高める。
【００２３】
本発明設備が初期状態の時、前記第一モータ141、前記転送装置126と第二モータ123が停止仕事状態にあり、上側の前記接合ブロック140が右側の限界位置に位置し、下側の前記接合ブロック140が左側の限界位置に位置し、前記第二規制バルブ114と第一規制バルブ104が閉止状態にあり、前記回転ディスク120が前記玉121と当接し、前記空キャビティ125に粉砕された後の電気部品が積載され、これにより上記の構造が初期状態の時に初期位置に位置させ、後続の仕事に調整でき、有効的に設備の作業協調性を高める。
【００２４】
設備が動作する時、前記第一規制バルブ104が開き、外部空間の冷却液システムの中の冷却液が前記輸液管105、第一規制バルブ104、第二収容槽103と空管100を通じて前記固定管102を冷却し、前記第一モータが動作し下側の前記接合ブロック140を駆動し右に移動させ、上側の前記接合ブロック140を駆動し左に移動させ、下側の前記プッシュブロック117が右に移動し前記空キャビティ125の中の電気部品を前記第八収容槽124に押し込んで前記転送装置126の上端面に落ちて、前記転送装置126が動作し、粉砕された後の電気部品を外部貯蔵空間に輸送し、上側の前記プッシュブロック117が左側の限界位置に戻って、前記第二規制バルブ114が開き、前記ロート115の中の電気部品が前記第四収容槽113を通じて前記第七収容槽116に落ちて、前記第一モータ141が上側の前記プッシュブロック117を駆動し電気部品を右に押して、電気部品が前記プッシュブロック117と回転ディスク120の間に粉砕され、前記第二モータ123が作業し前記回転ディスク120を駆動し回転させ、前記空キャビティ125が上側の前記第七収容槽116に正対する位置に運動し、前記プッシュブロック117が粉砕された後の電気部品を前記空キャビティ125に押し込んで、前記回転ディスク120が前記回転キャビティ118との隙間が十分に少なく、電気部品が落ちることを防ぎ、正常な回転を保証でき、前記第二モータ123が動作し、前記回転ディスク120を駆動し回転させ、前記空キャビティ125が下側の前記第七収容槽116に正対させ、前記第一モータ141が下側の前記プッシュブロック117を駆動し右に移動させ、前記空キャビティ125の中の粉砕された後の電気部品を前記転送装置126の上端面に押して、前記転送装置126に送り出されて、このように繰り返して上記のステップを実行し、続きの制御の加工を実現でき、これにより設備の制御能力を高める。設備が連続して動作する時、前記第一モータ141が前記スイング板142を駆動して連続してスイングさせ、これにより前記円柱形スライドレバー137が前記スイング板142の中にスライドし、距離が変化し続き、且つ前記接合ブロック140が位置規制されて前記円柱形スライドレバー137に引かれて左右に移動し、これにより上下側の前記接合ブロック140の交互移動を実現し、設備の伝動安定性を高める。
【００２５】
以上に述べたのはただ本発明のより良い実施例で、本発明を限定することに使用されない。本発明の意義と原則のもとで行う全ての修正、同等の入れ替えと改善などは本発明の保護範囲に含まれる。
【手続補正３】
【補正対象書類名】図面
【補正対象項目名】図１
【補正方法】変更
【補正の内容】
【図１】
2019181406.tif 000004